(57)【特許請求の範囲】
【請求項１】
車体パネル（８）に内装されるトリム部品（２０）の表面側に開閉リッド（５０）がヒンジを介して開閉自在に装着されるトリム部品（２０）における開閉リッド（５０）のヒンジ構造において、
前記開閉リッド（５０）は、保形性を有するリッド本体（５１）の表面にリッド表皮（５２）を貼付して構成され、開閉リッド（５０）の取付縁部におけるリッド表皮（５２）に延長片（５３）を設け、この延長片（５３）をトリム部品（２０）に固着することにより、リッド表皮（５２）における延長片（５３）の布ヒンジ機能を利用して開閉リッド（５０）をトリム部品（２０）に開閉自在に支持したことを特徴とするトリム部品における開閉リッドのヒンジ構造。
【請求項２】
開閉リッド（５０）におけるリッド表皮（５２）の延長片（５３）をトリム部品（２０）の表面側にビス（２４）等の固定具により固定するとともに、延長片（５３）及び固定具をトリム部品（２０）に取り付けられる隣接部材（４０）により被覆したことを特徴とする請求項１に記載のトリム部品における開閉リッドのヒンジ構造。
【請求項３】
開閉リッド（５０）におけるリッド表皮（５２）の延長片（５３）をトリム部品（２０）に対応して設けたスリット（２２）を通じてトリム部品（２０）の裏面側に案内して、トリム部品（２０）の裏面側に延長片（５３）を固着したことを特徴とする請求項１に記載のトリム部品における開閉リッドのヒンジ構造。
【発明の詳細な説明】
【０００１】
【発明の属する技術分野】
この発明は、トリム部品における開閉リッドのヒンジ構造に係り、特に、蝶番を使用したヒンジ構造に替えて、開閉リッドにおける表皮のヒンジ機能を利用することで、簡単かつ廉価なヒンジ構造を提供するとともに、リッドの開閉操作時に不快音が発生することがなく、外観見栄えに優れたトリム部品における開閉リッドのヒンジ構造に関する。
【０００２】
【従来の技術】
通常、図７に示すように、ハッチバックタイプのワゴン車等においては、リヤシート１とハッチバックドア２との間に多くの荷物類を搭載できるラゲージルーム３が設定され、このラゲージルーム３のフロア面には、ジャッキ等の工具類、あるいは小物類を使い勝手良く収納できるラゲージフロアトリム４が設けられている。
【０００３】
このラゲージフロアトリム４は、ジャッキ等の工具類を収容する収容ボックス４ａと、小物入れを収容する小物入れ用収容ボックス４ｂが分割して形成され、各収容ボックス４ａ，４ｂを覆うように開閉リッド５ａ，５ｂが回動可能に取り付けられている。
【０００４】
そして、開閉リッド５ａ，５ｂを閉鎖した状態では、開閉リッド５ａ，５ｂが同一平面上にフラットに位置して、荷物類の搭載が円滑に行なえるようになっている。
【０００５】
更に、ラゲージフロアトリム４とリヤシート１との間の隙間を隠し、特に、リヤシート１のシートバック１ａのリクライニング操作に追従できるように、ラゲージフロアトリム４のフロント縁部には、スペーサボード６が付設されている。
【０００６】
上記ラゲージフロアトリム４は、ポリプロピレン（ＰＰ）樹脂、あるいはタルク等のフィラーを混入したＰＰ樹脂等を射出成形、あるいはモールドプレス成形により所望の曲面形状に成形され、ラゲージフロアトリム４に開閉リッド５ａ，５ｂが蝶番５ｃを介して開閉可能に取り付けられている。
【０００７】
また、スペーサボード６は、ボード本体６ａの表面に表皮６ｂを貼付してなり、薄肉ヒンジ部６ｃを基点として前半部分が上下方向に撓むようになっており、この撓み変形は、リヤシート１のシートバック１ａのリクライニング動作に追従する。尚、この薄肉ヒンジ部６ｃを基にフロント側が常時下方向に付勢するようにバネ部材６ｄが取り付けられている。
【０００８】
そして、このスペーサボード６をラゲージフロアトリム４に取り付けるには、ボード本体６ａの裏面に取付用ボス６ｅを突設し、ラゲージフロアトリム４に設けた取付孔４ｃ内に取付用ボス６ｅを挿入して、裏面側からビス６ｆを締め付けることにより、ラゲージフロアトリム４のフロント側にスペーサボード６を組付固定している。
【０００９】
更に、ラゲージフロアトリム４にスペーサボード６を一体固定した後、ラゲージフロアトリム４の裏面に設けたクリップ座７にクリップ７ａを装着しておき、ラゲージフロアパネル８のクリップ孔８ａにこのクリップ７ａを圧入嵌合することにより、ラゲージフロアトリム４をラゲージフロアパネル８に固定しているのが実情である。
【００１０】
【発明が解決しようとする課題】
このように、従来のラゲージフロアトリム４には開閉リッド５ａが開閉自在に設けられており、この開閉リッド５ａは、蝶番５ｃを介して開閉自在に取り付けられているため、蝶番５ｃを取り付けるための取付用ビスを必要とし、部品点数が多く、かつ蝶番５ｃの取付作業に手間取るという問題点が指摘されている。
【００１１】
更に、開閉リッド５ａの開閉操作時、蝶番５ｃからの擦れ音等の不快音が発生し、また、開閉リッド５ａを開放した際、蝶番５ｃが目立ち、外観性能を低下させるという不具合も指摘されている。
【００１２】
この発明は、このような事情に鑑みてなされたもので、ラゲージフロアトリムに設けられる開閉リッド５に代表されるようなトリム部品における開閉リッドのヒンジ構造において、従来の蝶番ヒンジを廃止して、簡単かつ廉価な構成で、操作時不快音が発生することがなく、しかも、外観見栄えも優れたトリム部品における開閉リッドのヒンジ構造を提供することを目的とする。
【００１３】
【課題を解決するための手段】
上記目的を達成するために、この出願の請求項１に記載の発明は、車体パネルに内装されるトリム部品の表面側に開閉リッドがヒンジを介して開閉自在に装着されるトリム部品における開閉リッドのヒンジ構造において、前記開閉リッドは、保形性を有するリッド本体の表面にリッド表皮を貼付して構成され、開閉リッドの取付縁部におけるリッド表皮に延長片を設け、この延長片をトリム部品に固着することにより、リッド表皮における延長片の布ヒンジ機能を利用して開閉リッドをトリム部品に開閉自在に支持したことを特徴とする。
【００１４】
ここで、トリム部品における開閉リッドは、ラゲージフロアトリムにおける工具類収容ボックスを覆う開閉リッド、あるいはラゲージサイドトリムにおける開閉リッド等に適用できる。
【００１５】
そして、請求項１に記載の発明によれば、従来の蝶番に替えて開閉リッドのリッド表皮を利用することにより、蝶番及び蝶番を取り付けるための取付用ビスを不要とできる。
【００１６】
また、開閉リッドを取り付ける蝶番を廃止することができるため、開閉リッドの開閉操作時に金属の擦れ音による不快音が発生することがなく、しかも、開閉リッドを開放した際、蝶番が外部に目立つことがなく、シンプルで美麗な外観を付与できる。
【００１７】
この出願の請求項２に記載の発明は、開閉リッドにおけるリッド表皮の延長片をトリム部品の表面側にビス等の固定具により固定するとともに、延長片及び固定具をトリム部品に取り付けられる隣接部材により被覆したことを特徴とする。
【００１８】
ここで、隣接部品としては、ラゲージフロアトリム本体のフロント側に取り付けられるスペーサボード等に適用できる。
【００１９】
そして、請求項２に記載の発明によれば、開閉リッドにおけるリッド表皮の一部を延長形成した延長片をトリム部品の表面側にビス等の固定具により固定し、延長片及び固定具を隣接部材により覆うという構成であるため、隣接部材のオーナメント機能により、外観性能を高めることができる。
【００２０】
この出願の請求項３に記載の発明は、開閉リッドにおけるリッド表皮の延長片をトリム部品に対応して設けたスリットを通じてトリム部品の裏面側に案内して、トリム部品の裏面側に延長片を固着したことを特徴とする。
【００２１】
そして、請求項３に記載の発明によれば、開閉リッドのリッド表皮における延長片をトリム部品に開設したスリットを通して裏面側に案内して、トリム部品の裏面側に延長片を固着するという構成であるため、延長片や取付部分が外部に目立たず、外観性能に優れるとともに、延長片をトリム部品裏面側に適度なテンションを付与して巻き込めば、開閉リッドの支持を確実かつ強固に行なえる。
【００２２】
【発明の実施の形態】
以下、本発明に係るトリム部品における開閉リッドのヒンジ構造の好適な実施の形態について、ラゲージフロアトリムに適用して添付図面を参照しながら詳細に説明する。
【００２３】
図１は本発明を適用したラゲージフロアトリムの構成を示す全体図、図２は同ラゲージフロアトリムの斜視図、図３乃至図５は同ラゲージフロアトリムにおける開閉リッドのヒンジ構造の一実施形態を示し、ヒンジ構造を形成する作業手順の各説明図、図６は同ラゲージフロアトリムにおける開閉リッドのヒンジ構造の別実施形態を示す断面図である。
【００２４】
図１，図２において、本発明に係るラゲージフロアトリム１０は、ハッチバックタイプのワゴン車等に有効に適用できるもので、図面に示すように、リクライニング操作可能なリヤシート１と、ハッチバックドア２との間に画成されるラゲージルーム３におけるラゲージフロアパネル８面に取り付けられる。尚、バックドアが横開きタイプの車両にも適用できる。
【００２５】
上記ラゲージフロアトリム１０は、取付作業性、成形金型のコンパクト化を図るために、ラゲージフロアトリムフロント２０と、ラゲージフロアトリムリヤ３０との前後２分割体から構成されており、このラゲージフロアトリムフロント２０と、ラゲージフロアトリムリヤ３０とによりラゲージフロアトリム本体を構成する。
【００２６】
更に、ラゲージフロアトリムフロント２０のフロント側には、スペーサボード４０が付設されている。このスペーサボード４０は、左右側のリヤシート１の独立したリクライニング挙動に対応できるように左右２分割され、各スペーサボード４０は、ＰＰ樹脂板からなるボード本体４１の表面をポリエステル繊維製カーペットを素材とした表皮４２により被覆され、ヒンジ凹溝４３が裏面側に凹設され、このヒンジ凹溝４３を基に図１中矢印方向に撓むように構成され、この撓み動作により、リヤシート１におけるシートバック１ａをリクライニング動作したとき、それと追従できるように変形するようにバネ部材４４が設けられている。
【００２７】
また、ラゲージフロアトリム本体を構成するラゲージフロアトリムフロント２０及びラゲージフロアトリムリヤ３０は、本実施形態では、タルクを混入したＰＰ樹脂をモールドプレス成形することにより成形され、ラゲージフロアトリムフロント２０には、ジャッキ等の工具類を収容できる工具類収容ボックス２１が凹部状に形成され、また、ラゲージフロアトリムリヤ３０には小物等を収容するための小物入れ用収容ボックス３１が設けられている。
【００２８】
更に、ラゲージフロアトリムフロント２０の工具類収容ボックス２１及びラゲージフロアトリムリヤ３０の小物入れ用収容ボックス３１をそれぞれ覆うようにラゲージフロアトリムフロント２０には開閉リッド５０、ラゲージフロアトリムリヤ３０には、開閉リッド６０が開閉自在に取り付けられている。
【００２９】
従って、図２に示すように、各開閉リッド５０，６０を閉めた状態では、ラゲージフロアトリム１０の表面側は、フラット状に規制され、荷物の出し入れを円滑に行なえる。尚、図中符号７０は、小物入れ用収容ボックス３１を覆う開閉リッド６０の左右側に配設される別体リッドを示し、開閉リッド６０とは別個に着脱操作される。
【００３０】
ところで、本発明の特徴について、ラゲージフロアトリムフロント２０に形成される工具類収容ボックス２１の開口を開閉自在に蓋する開閉リッド５０のヒンジ構造に適用して以下に説明するが、本発明は、開閉リッド５０におけるヒンジ構造を簡素化して、コストダウンを招来するとともに、ヒンジ部分の外観見栄えを高めることを課題としている。
【００３１】
図３乃至図５に基づいて、開閉リッド５０のヒンジ構造を形成する作業手順について説明する。図３に示すように、開閉リッド５０は、木質繊維板等からなるリッド本体５１の表面をＰＥＴ（ポリエチレンテレフタレート）に代表されるポリエステル繊維製カーペット等のリッド表皮５２により貼付され、リッド表皮５２の一部は図２に示すように、開閉リッド５０の一方縁の左右及び中央の３箇所で延長形成され、延長片５３が延設されている。尚、ヒンジ軸として機能する部位には、補強のための不織布等のヒンジテープ５４が接着されている。
【００３２】
一方、開閉リッド５０を取り付けるラゲージフロアトリムフロント２０には、開閉リッド５０における延長片５３をラゲージフロアトリムフロント２０の裏面に案内するためのスリット２２が開設され、それより図中やや右側方向にずれた位置に取付用ボス部２３、ビス孔２３ａが設けられている。そして、図示するように、ラゲージフロアトリムフロント２０のスリット２２にまず開閉リッド５０における延長片５３を挿入させる。
【００３３】
更に、図４に示すように、開閉リッド５０をラゲージフロアトリムフロント２０上に載置して、開閉リッド５０における延長片５３をスリット２２を通じてラゲージフロアトリムフロント２０の裏面側に巻き込み、適度のテンションを付与した状態でビス２４をビス孔２３ａに締付け固定することにより、開閉リッド５０における延長片５３をラゲージフロアトリムフロント２０の裏面に固着する。
【００３４】
そして、ラゲージフロアトリムフロント２０に開閉リッド５０を開閉自在に取り付けた状態でラゲージフロアパネル８に取り付けた後、図５に示すように、スペーサボード４０におけるボード本体４１裏面に突設したクリップ座４５をラゲージフロアトリムフロント２０のクリップ座取付用開口２５内に嵌め込み、クリップ座４５に装着されているクリップ４６をラゲージフロアパネル８のクリップ孔８ａに圧入嵌合させることにより、スペーサボード４０とラゲージフロアトリムフロント２０とを一体的にクリップ４６を介してラゲージフロアパネル８に固着することができる。
【００３５】
尚、本実施形態では、開閉リッド５０の３箇所に延長片５３を形成したが、延長片５３の幅を広く設定して開閉リッド５０を１箇所の延長片５３で支持するようにしても良い。
【００３６】
このように、本実施形態における開閉リッド５０のヒンジ構造は、リッド表皮５２を延長形成した延長片５３をラゲージフロアトリムフロント２０の裏面側に巻込み固着して、延長片５３の布ヒンジ機能を利用するというものであるから、従来の蝶番を廃止することができ、蝶番及び蝶番の取付用ビスが不要となることから、取付備品点数を大幅に削減でき、かつ取付作業も簡素化できるなど、コスト的、作業的に非常に有利である。
【００３７】
また、蝶番では、開閉リッド５０の開閉操作時、不快音が発生し、かつ外観上においても蝶番が外部に目立ち、見栄えを低下させていたが、本実施形態においては、布ヒンジを利用しているため不快音が発生することがなく、しかも、延長片５３はスリット２２を通してラゲージフロアトリムフロント２０の裏面に巻込み固着したから体裁上も好ましい。
【００３８】
次いで、図６は本発明に係る開閉リッドのヒンジ構造の別実施形態を示すもので、開閉リッド５０におけるリッド表皮５２に延長片５３を延設する点は上述実施形態と同一であるが、本実施形態においては、開閉リッド５０における延長片５３をラゲージフロアトリムフロント２０の表面側にビス２４止めするという構成である。
【００３９】
また、ラゲージフロアトリムフロント２０の表面側に延長片５３をビス２４により固定したとしても、延長片５３及びビス２４は、スペーサボード４０により隠されるため、外観上、何等問題はなく、しかも、本実施形態ではスリットを開設する必要がなく、しかも取り付けも表面側からビス２４を締付け固定するため、作業的にも簡素化できる。
【００４０】
そして、この第２実施形態においても、蝶番及び蝶番取付用のビスを不要とでき、備品点数の削減、取付工数の低減を図ることができ、しかも、スペーサボード４０により取付部分が覆われるため、外観上、何等違和感を与えることなく、しかもスリット２２を開設する必要がないため、ヒンジ部分の剛性を強化できるという付随的な利点がある。
【００４１】
以上説明した第１実施形態、第２実施形態は、ラゲージフロアトリムフロント２０に取り付ける開閉リッド５０に適用したものであるが、ラゲージフロアトリムリヤ３０の開閉リッド６０に適用することもでき、また、ラゲージサイドトリムの開閉リッドや内装部品に取り付ける開閉リッド全般に適用することが可能である。
【００４２】
【発明の効果】
以上説明した通り、本発明に係るトリム部品における開閉リッドのヒンジ構造は、従来の蝶番に替えて開閉リッドにおけるリッド表皮の延長片をヒンジとして利用するものであるから、従来の蝶番、蝶番取付用ビスを廃止することができ、備品点数の削減、及び取付工数の低減が図れ、コストダウンが期待できるという効果を有する。
【００４３】
更に、蝶番を使用した際の開閉リッド開閉時の不快音が発生することがなく、円滑な開閉リッドの開閉操作が期待できるとともに、開閉リッドを開放した際、蝶番が外部に目立つという不具合がなく、外観見栄えを高めることができるという効果を有する。
【図面の簡単な説明】
【図１】本発明に係る開閉リッドのヒンジ構造を適用したラゲージフロアトリムの構成を示す全体図である。
【図２】図１に示すラゲージフロアトリムを示す斜視図である。
【図３】本発明に係る開閉リッドのヒンジ構造の一実施形態における延長片のスリット挿通工程を示す説明図である。
【図４】本発明に係る開閉リッドのヒンジ構造の一実施形態における延長片のビス止め工程を示す説明図である。
【図５】本発明に係る開閉リッドのヒンジ構造の一実施形態を適用したラゲージフロアトリムをパネルに取り付けた状態を示す説明図である。
【図６】本発明に係る開閉リッドのヒンジ構造の別実施形態を示す断面図である。
【図７】従来のハッチバックタイプのワゴン車のラゲージルームを示す説明図である。
【図８】従来のラゲージフロアトリムにおける開閉リッドのヒンジ構造を示す説明図である。
【符号の説明】
１  リヤシート
２  ハッチバックドア
３  ラゲージルーム
８  ラゲージフロアパネル
１０  ラゲージフロアトリム
２０  ラゲージフロアトリムフロント
２１  工具類収容ボックス
２２  スリット
２３ａ  ビス孔
２４  ビス
２５  クリップ座取付用開口
３０  ラゲージフロアトリムリヤ
３１  小物入れ用収容ボックス
４０  スペーサボード
５０  開閉リッド
５１  リッド本体
５２  リッド表皮
５３  延長片
５４  ヒンジテープ
６０  開閉リッド
７０  別体リッド
【図１】
0003781350.tif 000002
【図２】
0003781350.tif 000003
【図３】
0003781350.tif 000004
【図４】
0003781350.tif 000005
【図５】
0003781350.tif 000006
【図６】
0003781350.tif 000007
【図７】
0003781350.tif 000008
【図８】
0003781350.tif 000009